(57)【要約】【課題】複数のシリンジポンプを同時に使用する場合に、電源コード等が邪魔にならず、しかもシリンジポンプを容易に着脱することができる輸液システムを提供する。【解決手段】輸液システムはシリンジポンプ１とこれを着脱可能に支持するポンプ支持用架台２とを有する。ポンプ支持用架台２は、シリンジポンプ１を保持する保持部４１と、ポンプ支持用架台２に搭載された共通の電源回路６２に接続される給電用端子３６とを備える。シリンジポンプ１は、給電用端子３６に電気的に接続可能な受電用端子２７を備える。受電用端子２７に給電用端子３６を電気的に接続するとともにシリンジポンプ１を保持部４１に保持させる装着状態と、受電用端子２７と給電用端子３６とを切り離すとともに保持部４１に保持されたシリンジポンプ１を解放する脱着状態とを切換可能な着脱レバー３７がポンプ支持用架台２に設けられる。【選択図】      図１０
2004305280.tif 000002
【特許請求の範囲】
【請求項１】
シリンジに収容した薬液等を設定条件に応じて送液する電気駆動の複数のシリンジポンプと、これらのシリンジポンプを着脱可能に支持するポンプ支持用架台とを有する輸液システムであって、
上記ポンプ支持用架台は、上記シリンジポンプを保持する保持部と、ポンプ支持用架台に搭載された共通の電源回路に接続される給電用端子とを備える一方、上記シリンジポンプは、上記給電用端子に電気的に接続可能な受電用端子を備え、
この受電用端子に上記給電用端子を電気的に接続するとともに上記シリンジポンプを上記保持部に保持させる装着状態と、上記受電用端子と給電用端子とを切り離すとともに上記保持部から上記シリンジポンプを解放する脱着状態とを切換可能な着脱レバーが上記ポンプ支持用架台に設けられることを特徴とする輸液システム。
【請求項２】
請求項１記載の輸液システムにおいて、上記着脱レバーは、上記装着状態と脱着状態との切り換え過程で、上記シリンジポンプを上記保持部に保持させた状態で上記受電用端子と給電用端子とを分離する中間状態を経由するように構成されていることを特徴とする輸液システム。
【請求項３】
請求項１または請求項２記載の輸液システムにおいて、上記着脱レバーの切換操作に応じてスライド移動するスライダに上記保持部が設けられる一方、上記給電用端子と受電用端子とは一方向から結合可能なコネクタにより接続され、上記スライダの移動により上記給電用端子と受電用端子とが接離することを特徴とする輸液システム。
【請求項４】
請求項３記載の輸液システムにおいて、上記シリンジポンプの左右両側面に一対の係止孔が設けられる一方、上記保持部には上記スライダの移動に応じて上記係止孔に出没する一対の係止爪が設けられていることを特徴とする輸液システム。
【請求項５】
請求項１ないし請求項４のいずれか１項に記載の輸液システムにおいて、複数の上記ポンプ支持用架台が設けられ、この複数のポンプ支持用架台における各電源回路を電気的に接続する連結コードを介して各電源回路を共通化することを特徴とする輸液システム。
【請求項６】
請求項１ないし請求項５のいずれか１項に記載の輸液システムにおいて、上記ポンプ支持用架台に棒状体に掛止するための掛止部が設けられていることを特徴とする輸液システム。
【請求項７】
請求項１ないし請求項６のいずれか１項に記載の輸液システムにおいて、上記ポンプ支持用架台は、上記シリンジポンプを上下方向に一列に支持するように構成されていることを特徴とする輸液システム。
【請求項８】
請求項１ないし請求項７のいずれか１項に記載の輸液システムにおいて、上記受電用端子は、直接外部電源を接続することができるように構成されていることを特徴とする輸液システム。
【請求項９】
電気駆動のシリンジポンプを脱着可能に支持するとともに、該シリンジポンプに対して電源供給を行うポンプ支持用架台であって、
上記シリンジポンプを脱着可能に保持する複数の保持部が設けられるとともに、上記シリンジポンプに設けられた受電用端子に電気的接続可能な給電用端子が各保持部に対してそれぞれ設けられ、これら給電用端子がポンプ支持用架台に搭載される共通の電源回路に接続される一方、
上記受電用端子に上記給電用端子を電気的に接続するとともに上記シリンジポンプを上記保持部に保持させる装着状態と、上記受電用端子と給電用端子とを切り離すとともに上記保持部に保持された上記シリンジポンプを解放する脱着状態とを切換可能な着脱レバーを備えることを特徴とするポンプ支持用架台。
【発明の詳細な説明】
【０００１】
【発明の属する技術分野】
本発明は、医療現場で使用されるシリンジポンプ、すなわちシリンジ内に収容された薬液等の溶液を設定された流量で患者の血管等に注入するシリンジポンプとこのシリンジポンプを支持するポンプ支持用架台とを有する輸液システム等に関するものである。
【０００２】
【従来の技術】
従来から、患者に対して栄養補給、化学療法剤、麻酔剤等の薬液注入を自動的に、かつ高い精度で行うように構成されたシリンジポンプは知られている。
【０００３】
シリンジポンプは、例えば特許文献１に開示されるように、薬液を収納したシリンジを固定する固定部と、固定されたシリンジの押子を押圧するためのスライダと、このスライダを駆動するための電気式の駆動機構と、駆動機構を制御する制御装置と、薬液の注入量の設定やその表示を行う操作パネル等を備えたものが一般的であり、シリンジポンプを輸液スタンド（ポール）の可動架台にクランプネジで固定されている。そして、使用時には、シリンジポンプを輸液スタンドに上記のように固定した状態で該シリンジポンプにシリンジをセットし、操作パネル上で注入量等の条件を設定すれば、その設定条件に応じて上記スライダが駆動され、これによりシリンジの押子が押圧されて所定流量で薬液が送り出されるように構成されている。
【０００４】
【特許文献１】
特開平９−１２２２３９号公報
【０００５】
【発明が解決しようとする課題】
上記のような従来のシリンジポンプでは、シリンジポンプ毎に電源コードや通信用配線等を接続する必要があり、そのため複数のシリンジポンプを同時に使用する場合には電源コード等の数が増えて邪魔になるという問題がある。例えば手術室等では、１０台を超えるシリンジポンプを同時に使用することが頻繁にあるが、このような場合には医師や看護師がシリンジポンプの電源コードや通信用配線等に足を引っ掛ける等して円滑な医療業務に支障をきたすことが考えられる。
【０００６】
また、輸液スタンド（ポール）の可動架台にネジで固定しなければならず、上記のように複数のシリンジポンプを同時に使用する場合にはそれぞれについてネジで着脱する作業を行わなければならず、手間暇がかかるという問題もある。例えば上記のように、手術室等で１０台を超えるシリンジポンプを同時に使用した後に、患者をシリンジポンプとともに集中治療室等に搬送されることがあるが、このような場合に医師や看護師は、その都度、各シリンジポンプを脱着しなければならず、円滑かつ迅速な医療業務が妨げられる虞がある。
【０００７】
本発明は、上記課題に鑑みてなされたものであって、複数のシリンジポンプを同時に使用する場合に、電源コード等が邪魔にならず、しかも容易に着脱することができ、その利便性を向上させ、もって円滑な医療業務を実現することを目的とする。
【０００８】
【課題を解決するための手段】
上記課題を解決するために、本発明に係る輸液システムは、シリンジに収容した薬液等を設定条件に応じて送液する電気駆動の複数のシリンジポンプと、これらのシリンジポンプを着脱可能に支持するポンプ支持用架台とを有する輸液システムであって、上記ポンプ支持用架台は、上記シリンジポンプを保持する保持部と、このポンプ支持用架台に搭載された共通の電源回路に接続される給電用端子とを備える一方、上記シリンジポンプは、上記給電用端子に電気的に接続可能な受電用端子を備え、この受電用端子に上記給電用端子を電気的に接続するとともに上記シリンジポンプを上記保持部に保持させる装着状態と、上記受電用端子と給電用端子とを切り離すとともに上記保持部から上記シリンジポンプを解放する脱着状態とを切換可能な着脱レバーが上記ポンプ支持用架台に設けられることを特徴とする。
【０００９】
この輸液システムでは、ポンプ支持用架台における複数の保持部に対して必要な数のシリンジポンプを保持させ、シリンジポンプ及びポンプ支持用架台の端子同士（給電用端子および受電用端子）を接続すれば、各シリンジポンプがポンプ支持用架台に搭載された共通の電源回路に接続されて駆動用の電力が各シリンジポンプに供給される。つまり、電源コードとしてはポンプ支持用架台の電源回路用のコードだけで済み、各シリンジポンプ毎に電源コードを設ける必要がなくなる。従って、複数のシリンジポンプを使用しながらも電源コードを集約することができる。
【００１０】
また、この輸液システムでは、ポンプ支持用架台における複数の保持部にシリンジポンプを必要な数だけ配置し、上記着脱レバーを切り換えれば、シリンジポンプとポンプ支持用架台が機械的及び電気的に接離される。つまり、着脱レバーを切換操作するだけで、受電用端子に上記給電用端子を電気的に接続するとともに上記シリンジポンプを上記保持部に保持させる装着状態と上記受電用端子と給電用端子とを切り離すとともに上記保持部から上記シリンジポンプを解放する脱着状態とを切り換えることができる。従って、従来のようにネジの緊締、弛緩作業を要さず、着脱レバーの操作だけでシリンジポンプを容易かつ的確に着脱することができる。
【００１１】
この輸液システムにおいて、着脱レバーは、上記装着状態と脱着状態との切り換え過程で、上記シリンジポンプを上記保持部に保持させた状態で上記受電用端子と給電用端子とを分離する中間状態を経由するように構成されるのが好ましい（請求項２）。
【００１２】
このように構成すれば、着脱動作が段階的に行われるので、該着脱動作を安定して行わせることができる。すなわち、着脱レバーが装着状態から脱着状態に切り換えられる場合は、シリンジポンプを保持部により保持させた状態で受電用端子と給電用端子とが切り離されるので、受電用端子と給電用端子とを切り離す際の反動等によりシリンジポンプが不測に脱落することがない。一方、着脱レバーが脱着状態から装着状態に切り換えられる場合は、シリンジポンプを保持部により保持させた状態で受電用端子と給電用端子とが接続されるので、確実に両端子を接続することができる。
【００１３】
上記給電用端子と受電用端子との接離の具体的構造は、特に限定するものではないが、上記着脱レバーの切換操作に応じてスライド移動するスライダに上記保持部が設けられる一方、上記給電用端子と受電用端子とは一方向から結合可能なコネクタにより接続され、上記スライダの移動により上記給電用端子と受電用端子とが接離するように構成するのが好ましい（請求項３）。
【００１４】
このように構成すれば、シリンジポンプを保持部に保持させた状態でスライド移動させて給電用端子と受電用端子とが接離されるので、簡単な構造で確実に端子同士（給電用端子及び受電用端子）を接離することができる。
【００１５】
シリンジポンプと保持部との具体的保持構造は特に限定するものではないが、上記シリンジポンプの左右両側面に一対の係止孔が設けられる一方、上記保持部には上記スライダの移動に応じて上記係止孔に出没する一対の係止爪が設けられているように構成するのが好ましい（請求項４）。
【００１６】
このように構成すれば、シリンジポンプの両側面に設けられた係止孔に係止爪を出没させるだけで、シリンジポンプを保持部に着脱させることができ、比較的簡単な構造で確実にシリンジポンプを着脱することができる。しかも、スライダの移動に応じて係止爪が出没するように構成されているので、シリンジポンプの着脱動作を端子同士の接離動作と連動させることができ、確実にシリンジポンプとポンプ支持用架台とを機械的及び電気的に接続することができる。
【００１７】
この輸液システムにおいて、必要に応じて複数の上記ポンプ支持用架台を設けることができ、この場合にはこの複数のポンプ支持用架台における各電源回路を電気的に接続する連結コードを介して各電源回路を共通化するのが好ましい（請求項５）。
【００１８】
このように構成すれば、複数のポンプ支持用架台が設けられる場合でも、電源コードとしては複数のポンプ支持用架台について連結コードにより共通化された電源回路用のコードだけで済み、各ポンプ支持用架台毎に電源コードを設ける必要がなくなる。従って、複数のポンプ支持用架台を使用しながらも電源コードを集約することができる。
【００１９】
さらに、上記輸液システムでは、上記ポンプ支持用架台に棒状体に掛止するための掛止部が設けられるのが好ましい（請求項６）。
【００２０】
このように構成すれば、ポンプ支持用架台を簡単に掛け吊すことができる。例えば、手術中においてポンプ支持用架台をスタンドに掛け吊し、手術後にシリンジポンプを患者とともに集中治療室等に搬送する場合には、ポンプ支持用架台から必要なシリンジポンプだけを残してシリンジポンプを脱着し、掛止部をスタンドの棒状体からベッドの桟部に掛止し直せば、残りのシリンジポンプをポンプ支持用架台ごと搬送することができ、円滑かつ迅速な対応が可能となる。
【００２１】
また、ポンプ支持用架台におけるシリンジポンプの配置態様は特に限定するものではないが、上記ポンプ支持用架台が、上記シリンジポンプを上下方向に一列に支持するように構成されているのが好ましい（請求項７）。
【００２２】
このように構成すれば、複数のシリンジポンプを支持しながらも平面的な占有スペースは少なくて済み、スペース効率が向上する。
【００２３】
さらに、この輸液システムにおいて、上記受電用端子は、直接外部電源を接続することができるように構成されているのが好ましい（請求項８）。
【００２４】
このように構成すれば、シリンジポンプに外部電源を直接接続することによりシリンジポンプをポンプ支持用架台に装着することなく単独で使用することが可能となり、しかも、別途外部電源を直接接続する端子を設ける必要がなく、経済的にシリンジポンプの利便性を向上することができる。
【００２５】
一方、本発明のポンプ支持用架台は、上記輸液システムに特に適したものであり、電気駆動のシリンジポンプを脱着可能に支持するとともに、該シリンジポンプに対して電源供給を行うポンプ支持用架台であって、上記シリンジポンプを脱着可能に保持する複数の保持部が設けられるとともに、上記シリンジポンプに設けられた受電用端子に電気的接続可能な給電用端子が各保持部に対してそれぞれ設けられ、これら給電用端子がポンプ支持用架台に搭載される共通の電源回路に接続される一方、上記受電用端子に上記給電用端子を電気的に接続するとともに上記シリンジポンプを上記保持部に保持させる装着状態と、上記受電用端子と給電用端子とを切り離すとともに上記保持部に保持された上記シリンジポンプを解放する脱着状態とを切換可能な着脱レバーを備えることを特徴とする（請求項９）。
【００２６】
【発明の実施の形態】
本発明の実施の形態について図面を用いて説明する。
【００２７】
図１は本発明に係る輸液システムの全体を正面図で示している。この図に示すように、輸液システムはシリンジポンプ１と、複数台のシリンジポンプ１を支持することができるポンプ支持用架台２（以下、架台２と略す）と、複数台の架台２を掛け吊す架台用スタンド３とから構成されている。
【００２８】
シリンジポンプ１は、患者に対する栄養補給、化学療法剤、麻酔剤等の薬液注入を目的とした微量持続注入ポンプであって、図２に示すように横長の箱型の本体を有しており、架台２に支持された状態でこの本体の前面下部（図２では本体の上面下部）に操作パネル１０を、上部にシリンジ固定部１５をそれぞれ備えている。
【００２９】
操作パネル１０には、シリンジポンプの作動状態、例えば薬液の流量、予定量、積算値等の各種表示を行う表示部１１や、電源あるいは薬液の流量等の各種設定を行うための各種スイッチ１２等が設けられている。
【００３０】
シリンジ固定部１５には、薬液を収容したシリンジＳを固定するためのロック機構１６と、シリンジＳの押子を押圧するためのポンプスライダ１８と、このスライダ１８を駆動するための駆動機構等が設けられている。
【００３１】
ロック機構１６はばね等により下方に付勢されるクランプ１７を有しており、シリンジ固定部１５のシリンジステージ１５ａ上にセットされたシリンジＳを該クランプ１７により上方から押さえ付けた状態で固定するように構成されている。シリンジＳの脱着は、クランプ１７の先端部（図２では下端部）を上方に引き上げるようにしてクランプ１７を回転させ、これによりシリンジステージの上方を開放した状態で行うように構成されている。
【００３２】
スライダ１８は、シリンジステージ１５ａにセットされたシリンジＳに対してその長手方向にスライド可能に設けられており、駆動機構により駆動されてその端部（図２では右側端部）に設けられた押圧部１９によりシリンジＳの押子Ｓｐをその後側（図２では右側）から押圧するように構成されている。
【００３３】
駆動機構は、図示を省略するが、例えばスライダ１８に螺合装着されたボールねじ軸をモータにより回転駆動してスライダ１８を移動させる周知の往復移動機構からなり、上記操作パネル１０において設定された条件に応じて後述するコントローラ６１により駆動制御されるように構成されている。
【００３４】
図３（ａ）及び（ｂ）に示すように、シリンジポンプ１の側面には、架台２に対する機械的な接続部が設けられている。具体的には、シリンジポンプ１の本体の両側面には、架台２の後述する一対の突出部４５に設けられた係止爪部４６ａが係止される一対の係止孔２１が設けられている。
【００３５】
なお、シリンジポンプ１の本体の一側部（図２では右側部）には、該シリンジポンプ１を持ち運ぶためのＵ字状のポンプ用把持部２２が設けられている。このポンプ用把持部２２は、押子Ｓｐを衝撃、特に側面からの衝撃から保護する機能をも有し、従ってポンプ用把持部２２は伸張状態にある押子Ｓｐよりも長く側面に突出するものとなされている。
【００３６】
また、シリンジポンプ１の本体の他側部（図２では左側部）には、架台２に対する電気的な接続部、具体的には電源の受電用端子２７及び通信用端子２８が設けられている。本実施形態では、これらの端子２７，２８は、コネクタ、特に、受電用端子２７は、シリンジポンプ１の後述するスライド方向に結合可能なコネクタにより構成されている。
【００３７】
一方、架台２は、図４及び図５に示すように、縦長の架台本体３０を有しており、架台本体３０の後面にキャスター付の架台用スタンド３（図１１参照）の掛止棒３ａに掛止させる掛止部３１が設けられている。この架台２は、持ち運びし得るように、比較的コンパクトに形成されるとともに、その上端部に架台用把持部３２が設けられている。
【００３８】
この架台２には、上下方向に複数個（本実施形態では３個）のシリンジポンプ１が脱着可能に装着される装着部２ａが設けられ、各シリンジポンプ１が後傾状態で支持されるように、装着部２ａの前面が後方に傾斜して段状に形成されている。
【００３９】
架台本体３０には、後述する共通の電源回路６２（図１２参照）が搭載された正面視略矩形状の後面板状体３３と、この電源回路６２等の内部構造を略被覆した状態で後面板状体３３の前側に組み付けられるカバーケース３４とを備え、両者３３，３４を組み付けた状態でカバーケース３４の前面が上記装着部２ａとなり、この装着部２ａの下端部にシリンジポンプ１を載置する支持棒２ｂが前方に突出して設けられている。
【００４０】
図６はカバーケースを取り外した状態の架台を示す正面図であり、図７ないし図９は図６の各断面線における断面図である。
【００４１】
後面板状体３３は、上記共通の電源回路６２の他、シリンジポンプ１を着脱するための着脱機構３５や、上記電源回路６２に接続される給電用端子３６等が搭載されている。また、後面板状体３３は、その一側面（図１では左側面）の上下にコード用ジャック（図示せず）が設けられ、該コード用ジャックに後述する連結コード６０や電源コード６５が差し込まれるものとなされている。
【００４２】
着脱機構３５は、上記装着部２ａに対応して上下方向に複数個一列に設けられている。本実施形態では上段、中段、下段の３段の着脱機構３５ａ〜３５ｃが設けられている。
【００４３】
各着脱機構３５は、後面板状体３３の一側縁部に軸支され、Ｌ字状に屈曲形成された着脱レバー３７と、一端が着脱レバー３７にその屈曲部分に軸支されたリンク部材３８と、このリンク部材３８の他端が軸支される主スライダ３９とを備える。すなわち、本実施形態の着脱機構３５は、リンク機構により主スライダ３９をスライド移動させるように構成されている。ここで主スライダ３９は、本願請求項にいうスライダに相当する。
【００４４】
着脱レバー３７は、上記したように揺動可能に軸支され、図６の上中下段の各着脱機構３５ａ〜３５ｃにおける着脱レバー３７ａ〜３７ｃに示すように、例えばクリック機構等の公知の間欠的位置決め機構により３段階に位置決めされ、後述する装着状態、中間状態、脱着状態の３状態を切り換えることができるものとなされている。主スライダ３９は、後面板状体３３に固着された左右一対のスライダ支持部材４０の案内溝（図示せず）に嵌挿されてスライド自在に架設されている。そして、着脱レバー３７の回転運動が、両端が軸支されたリンク部材３８を介して主スライダ３９のスライド運動に変換されて、当該主スライダ３９が左右方向にスライド移動するものとなされている。従って、図６に示すように、着脱レバー３７が装着状態、中間状態、脱着状態の３状態の切換に応じて、主スライダ３９も後述する装着位置、中間位置、脱着位置にスライド移動するものとなされている。
【００４５】
この主スライダ３９は、中間部において前方（図８では上方）に解放した偏平細長箱状体に形成され、その長さが架台本体３０内に収まるものとなされている。この主スライダ３９は、その両端部に前方に突出して設けられた左右一対の保持部４１と、主スライダ３９内に配設され、一定条件下で主スライダ３９に対して相対的にスライド移動する左右一対の副スライダ４２と、これらの副スライダ４２間を近接する方向に付勢する弾性部材４３とを備える。
【００４６】
保持部４１は、図１０に示すように、その間でシリンジポンプ１を保持するものとなされ、図７ないし図９に示すように、突出部４５と、係止爪部材４６とを備える。
【００４７】
具体的には、主スライダ３９の両端部に前方に突出する中空の突出部４５が設けられ、この突出部４５と主スライダ３９との内部空間は連通するものとなされている。これらの各突出部４５の内部空間には、副スライダ４２の長手方向の外端部に固設された係止爪部材４６が収納されており、この係止爪部材４６の係止爪部４６ａが各突出部４５の対向壁に設けられた出没孔４７を通して出没し得るように構成されている。そして、この係止爪部４６ａが出没孔４７を通して突出することにより、該係止爪部４６ａがシリンジポンプ１の係止孔２１に係止されてシリンジポンプ１を保持する。
【００４８】
副スライダ４２は、公知のスライド構造により主スライダ３９内を左右方向にスライド移動するように構成されている。例えば、主スライダ３９の両側壁に左右方向に延びる細長いガイド溝（図示せず）が設けられ、このガイド溝に副スライダ４２の両側面から延びる一対のガイド部を挿入することにより、副スライダ４２を左右方向にスライド移動させることができるようになされる。なお、このようにガイド溝とガイド部によりスライド構造を構成する場合には、スライド方向に沿って前後にガイド部を設けると、副スライダを円滑にスライドさせることができる。
【００４９】
また、副スライダ４２は、それぞれ突出部４５の後方から主スライダ３９の前面開放部にまで延びて形成され、相対向する内端部間が離間するように配設される。そして、副スライダ４２の相対向する内端部間に上記弾性部材４３としてのつるまきバネが張設され、上記のように各副スライダ４２を近接する方向に付勢している。これに伴い、この副スライダ４２に固設された係止爪部４６ａも内側に付勢され、通常の状態では、係止爪部４６ａが出没孔４７を通して突出した係止状態となっている。なお、上記弾性部材４３は、本実施形態ではつるまきバネが採用されているが、その他のバネや、ゴム等のその他の弾性部材であっても良い。また、弾性部材４３を副スライダ４２間に張設するものでなくてもよい。要は、左右一対の副スライダ４２を近接する方向に配設されていれば、その素材や配置態様等は問わない。
【００５０】
一方、副スライダ４２は、主スライダ３９のスライド移動に伴い係止爪部４６ａが出没孔４７内に退入して係止爪部４６ａと係止孔２１との係止状態が解除されるように構成されている。
【００５１】
すなわち、主スライダ３９が中間位置から脱着位置にスライド移動する過程で、一方の副スライダ４２（図８では着脱レバー３７側の副スライダ４２）がその移動を規制され、主スライダ３９に対してそのスライド方向後方に向かって相対移動するものとなされる一方、他方の副スライダ４２（図８では着脱レバー３７と反対側の副スライダ４２）が主スライダ３９のスライド方向に押し出され、主スライダ３９に対してそのスライド方向前方に相対移動するものとなされている。このように、一対の副スライダ４２が主スライダ３９内を相互に離反する方向にスライド移動することにより、この副スライダ４２の外端部に設けられた係止爪部４６ａも離反する方向に移動して出没孔４７内に退入し、これにより係止爪部４６ａと係止孔２１との係止状態が解除される。
【００５２】
より具体的には、後面板状体３３には前方に突出するストッパーピン４９が設けられ、このストッパーピン４９は主スライダ３９の後面にそのスライド方向に沿って設けられた長孔５０から主スライダ３９内に突出するものとなされている。そして、このストッパーピン４９は、主スライダ３９が中間位置から脱着位置にスライド移動する過程で、着脱レバー３７側の副スライダ４２の長手方向内端面に当接してその移動を規制するものとなされている。
【００５３】
一方、主スライダ３９には図６に矢印で示す方向に揺動する揺動部材５１が軸支され、この揺動部材５１はその下端部が着脱レバー３７と反対側の副スライダ４２の内端面に当接し、その上端部が主スライダ３９から上方にはみ出すように配設されている。そして、この揺動部材５１は主スライダ３９とともにスライド移動し、主スライダ３９が中間位置から脱着位置にスライド移動する過程で、揺動部材５１の上端部は後面板状体３３に固設されたストッパー片５２に当接するものとなされている。揺動部材５１がストッパー片５２に当接すると、図６の中段の着脱機構３５ｂから上段の着脱機構３５ａに示すように、揺動部材５１が揺動し、その下端部において着脱レバー３７と反対側の副スライダ４２を押し出されるものとなされている。ここで、揺動部材５１は、所定角度以上に回動しないようにストッパー等によりその回転角度が規制されるようになされている。
【００５４】
なお、本実施形態では、一方の副スライダ４２がストッパーピン４９に当接するタイミングと、他方の副スライダ４２が揺動部材５１に押し出されるタイミングとが同期するように設定され、一対の副スライダ４２が連動するものとなされている。
【００５５】
次に上記構成の着脱機構３５の作用について、図６ないし図１０を用いて説明する。
【００５６】
まず、着脱レバー３７が最上位にある状態（図６及び図１０では上段の着脱レバー３７ａの状態）では、主スライダ３９が脱着位置、すなわち主スライダ３９に設けられた保持部４１が給電用端子３６から最も離反した位置（図では最も左側にある位置）に配置されている。この主スライダ３９が脱着位置にある場合には、一対の副スライダ４２がストッパーピン４９及び揺動部材５１により弾性部材４３の付勢力に抗して相互に離反して位置し、この副スライダ４２の外端部に固設された係止爪部４６ａは突出部４５の出没孔４７内に退入している（図７参照）。
【００５７】
従って、この状態では、シリンジポンプ１を装着部２ａに前方からセットすることができ、図１０に示すように、このセットされたシリンジポンプ１はその受電用端子２７が給電用端子３６と切り離されているとともに上記保持部４１から解放された脱着状態にある。
【００５８】
シリンジポンプ１の具体的セット方法は、まず操作パネル１０が前面に向いた起立姿勢にシリンジポンプ１を保持し、このシリンジポンプ１を前方から支持棒２ｂの先端部に載置し、この支持棒２ｂに沿って後方にスライドさせることにより行う。これにより、一対の保持部４１の各内側面がシリンジポンプ１の各側面に当接して一対の保持部４１間にシリンジポンプ１が嵌め込まれ、シリンジポンプ１を位置決め状態にセットすることができる。このように本実施形態の輸液システムでは、シリンジポンプ１を前方、すなわちシリンジポンプ１の表示部１１やスイッチ１２等が設けられた側からセットすることができるので、例えばシリンジポンプ１を横方向から差し込むように構成され、架台２の設置空間に加え横方向にシリンジポンプ１の差し込みのための必要空間を要するものに比べて、この輸液システムを比較的狭い場所に設置することができる。
【００５９】
次に上記着脱レバー３７を最上位にある状態（脱着状態）から下方に引き下げ、中間位置にある状態（図６及び図１０では中段の着脱レバー３７ｂの状態）に切り換えると、主スライダ３９が脱着位置から中間位置にスライド移動する。この主スライダ３９が脱着位置から中間位置にスライド移動する過程における所定のタイミングで、ストッパーピン４９は一方の副スライダ４２の内端面から離反する一方、揺動部材５１はその上端部がストッパー片５２から離反し、一対の副スライダ４２は弾性部材４３により近接する方向にスライド移動する（図８参照）。この副スライダ４２のスライド移動に伴って係止爪部４６ａは出没孔４７から突出してシリンジポンプ１の係止孔２１に係止され、これによりシリンジポンプ１が保持部４１に保持される。
【００６０】
すなわち、着脱レバー３７が中間位置にある状態では、図１０の中段に示すように、受電用端子２７と給電用端子３６とが離反しているとともにシリンジポンプ１が保持部４１に保持された中間状態にある。
【００６１】
続いて、上記着脱レバー３７を中間位置にある状態からさらに下方に引き下げて最下位にある状態（図６及び図１０では下段の着脱レバー３７ｃの状態）に切り換えると、主スライダ３９が中間位置から装着位置に大きくスライド移動する。この主スライダ３９の移動に伴いシリンジポンプ１の受電用端子２７が架台２の給電用端子３６に電気的に接続される。両端子２７，３６の電気的接続は、主スライダ３９のスライド方向に結合可能なコネクタを介して行われるため、確実かつ容易に行われる。
【００６２】
一方、主スライダ３９が中間位置から装着位置にスライド移動する過程でも、係止爪部４６ａは出没孔４７から突出した状態で維持され、これにより係止爪部４６ａが係止孔２１に係止されてシリンジポンプ１が保持部４１に保持される（図９参照）。
【００６３】
すなわち、着脱レバー３７が最下位にある状態では、図１０の下段に示すように、シリンジポンプ１の受電用端子２７が架台２の給電用端子３６に電気的に接続されているとともに、上記シリンジポンプ１が保持部４１に保持されている装着状態となる。
【００６４】
一方、このシリンジポンプ１を脱着するには、着脱レバー３７を上記手順と反対に上方に引き上げると、装着状態、中間状態、脱着状態の各状態に切り換わり、図１０の上段に示すように、シリンジポンプ１を脱着することができる状態となる。
【００６５】
このように、本実施形態の輸液システムでは、着脱レバー３７を切り換えるだけで、容易にシリンジポンプ１と架台２を機械的及び電気的に接続することができる。従って、従来の輸液システムのようにネジを緊緩することを要さず、着脱レバーの操作だけでシリンジポンプ１を容易かつ的確に着脱することができる。
【００６６】
しかも、着脱レバー３７を用いて主スライダ３９をスライド移動するものとなされているので、梃子の原理を利用して比較的軽く着脱操作することができる。
【００６７】
また、着脱レバー３７の操作により中間状態を経て装着状態と脱着状態が切り換わるようになされているので、該着脱動作を安定して行わせることができる。すなわち、着脱レバー３７が装着状態から脱着状態に切り換えられる場合は、シリンジポンプ１を保持部４１により保持させた状態で受電用端子２７と給電用端子３６とが切り離されるので、この切り離しの際の反動等によりシリンジポンプ１が不測に脱落することがなく、また着脱レバー３７が脱着状態から装着状態に切り換えられる場合は、シリンジポンプ１を保持部４１により保持させた状態で受電用端子２７と給電用端子３６とが接続されるので、確実に両端子２７，３６を接続することができる。
【００６８】
また、主スライダ３９には、着脱レバー３７側（図６では左側）の保持部４１に連接して化粧ボックス５３が設けられている。この化粧ボックス５３は、カバーケース３４の後述する収納部３４ａに一方の保持部４１（図７では左側の保持部）が収納され、この保持部４１がカバーケース３４に設けられた挿通孔（図示せず）を通して出入される構造が採用されていることから、保持部４１が退出した後にこの挿通孔を通して収納部３４ａ内部が露出して外観体裁が悪化するのを防止するためのものである。従って、主スライダ３９が脱着位置にある場合にでも、化粧ボックス５３の他端部は収納部３４ａの挿通孔を覆うものとなされている。
【００６９】
そして、図６に示すように、給電用端子３６は、上記着脱機構３５の下方に設けられており、本実施形態では、主スライダ３９（シリンジポンプ１）のスライド方向に結合可能なコネクタにより構成されている。すなわち、受電用端子２７と給電用端子３６は、シリンジポンプ１のスライド方向に結合可能に構成され、シリンジポンプ１のスライド移動にともなって接続されるものとなされている。なお、この給電用端子３６は、直接外部電源を接続することができるように構成され、シリンジポンプ１を単独で使用することができるように構成されている。
【００７０】
一方、カバーケース３４は、図４に示すように、後面板状体３３の前面に沿って段状に形成され、その一側部（図４では左側部）に前方に突出する収納部３４ａが設けられるとともにこの収納部３４ａから所定範囲にわたって保持部４１が移動するための切欠き部３４ｂが設けられる一方、その他端部に他方の保持部４１が嵌挿される切欠き部３４ｃが設けられている。収納部３４ａには、共通の電源回路６２、着脱機構３５の一部を被覆するものであり、シリンジポンプ１が装着部２ａに装着された状態でシリンジポンプ１の前面と面一になるように形成されている。
【００７１】
なお、収納部３４ａには、図示しないが、右側壁に主スライダ３９の保持部４１がこのスライド移動する際に挿通される挿通孔が設けられるとともに、この挿通孔の下方に給電用端子３６が挿通される端子挿通孔が設けられている。
【００７２】
次に、この輸液システムにおける電気的な構成を図１２を用いて説明する。なお、この図では、２台の架台２が設けられ、これらの架台２が連結コード６０を介して電気的に接続されているとともに、各架台２の全ての装着部２ａにシリンジポンプ１を装着した状態を示している。
【００７３】
この図に示すように各シリンジポンプ１には、その駆動を制御するためのコントローラ６１（制御手段）がそれぞれ搭載されている。このコントローラ６１は、論理演算を実行する周知のＣＰＵ、そのＣＰＵを制御する種々のプログラムなどを予め記憶するＲＯＭ、動作中に種々のデータを一時的に記憶するＲＡＭ等を備えており、操作パネル１０において設定された各種条件に基づきシリンジポンプ１の駆動を統括的に制御するように構成されている。
【００７４】
コントローラ６１には、上記通信用端子２８が接続されており、シリンジポンプ１を脱着した状態で、通信用端子２８に通信用配線が接続されることによりコンピュータ等の外部装置との間で各種情報を送信できるように構成されている。
【００７５】
一方、架台２には、この架台２に装着される複数のシリンジポンプ１について共通のＡＣ−ＤＣ電源回路６２等が搭載されている。
【００７６】
このＡＣ−ＤＣ電源回路６２は、周知の電源回路からなり、当実施形態ではＡＣ１００Ｖをシリンジポンプ１の駆動に必要な例えばＤＣ１２Ｖに変換して出力する。このＡＣ−ＤＣ電源回路６２には、電源スイッチ６３を介して上記電源コード６５が接続されるとともに、必要に応じて各架台２に設けられたＡＣ−ＤＣ電源回路６２を電気的に接続するための連結コード６０が接続されている。
【００７７】
次に、以上のように構成された輸液システムの使用説明を行う。
【００７８】
上記着脱機構３５によりシリンジポンプ１を装着状態にセットしたら、架台２の電源コード６５をＡＣ１００Ｖコンセントに差し込んで架台２の電源スイッチ６３を入れ、その後、各シリンジポンプ１の電源スイッチを入れる。
【００７９】
このようにすると架台２が起動し、ＡＣ−ＤＣ電源回路６２から受電用端子２７および給電用端子３６を介して各シリンジポンプ１に電源が供給され、これにより各シリンジポンプ１が起動する。
【００８０】
このように、架台２に装着した複数のシリンジポンプ１に対して架台２に設けた共通のＡＣ−ＤＣ電源回路６２から電源を供給するように構成しているので、複数のシリンジポンプ１を同時に使用しながらも電源コードとしては架台２の電源コード６５だけで済む。しかも、複数台の架台２を架台用スタンド３に掛止する場合でも、連結コード６０を介して各架台２の電源回路６２を共通化することができ、これにより電源コードも一の架台２の電源コード６５だけで済む。
【００８１】
従って、複数のシリンジポンプを同時に使用する場合でも、電源コードや通信配線が邪魔になることがなくなり、例えば、医師や看護師がシリンジポンプの電源コード等に足を引っ掛ける等して医療業務に支障をきたすといった問題を解消することができるという効果がある。
【００８２】
以上の事前準備が完了したら、各シリンジポンプ１に対してシリンジＳを固定する。シリンジＳの固定は、既に説明した通りクランプ１７を解放した状態でシリンジＳをシリンジステージ上にセットし、その後、クランプ１７を固定位置にセットすることにより行う。
【００８３】
そして、各シリンジポンプ１毎に操作パネル１０を操作して流量等の輸液条件を設定した後、各シリンジポンプ１のシリンジに接続されたチューブの留置針を患者の腕等に穿刺し、操作パネル１０のスイッチを操作して薬液の注入を開始する。なお、このようにして薬液の注入が開始されると、各シリンジポンプ１における薬液の流量、予定量、あるいは積算量等の輸液情報が操作パネル１０の表示部１１に表示される。
【００８４】
なお、この輸液システムでは、シリンジポンプ１を架台２に装着して使用する以外に、上記のようにシリンジポンプ１を単独で使用することも可能である。この場合には、シリンジポンプ１の上記給電用端子３６に図外のＡＣアダプタを接続し、このアダプタをＡＣ１００Ｖコンセントに差し込むことにより該コンセントから直接電源をとるようにすればよい。
【００８５】
ところで、以上説明した輸液システムは、本発明に係る輸液システムの一の実施の形態であって、その具体的な構成は本発明の要旨を逸脱しない範囲で適宜変更可能である。例えば、以下のような態様を採ることもできる。
【００８６】
▲１▼主スライダを移動させるための機構は、上記のようなリンク機構に限らず、公知の機構、例えばラチェット機構であってもよい。すなわち、着脱レバーの基端部に扇状ギヤを設けるとともに、この扇状ギヤに噛合する一ないし複数の伝達ギヤを設け、この伝達ギヤに噛合するラックのスライド運動を直接ないし間接的に主スライダに伝達するものであってもよい。
【００８７】
▲２▼上記実施形態では、架台２に掛止部３１を設け、この掛止部３１により架台用スタンド３に掛け吊すものとなされているが、例えば架台を架台用スタンドに固着するものであってもよい。但し、上記のように掛止部３１により架台用スタンド３に掛け吊すものとすれば、例えば複数のシリンジポンプ１を小分けにして患者とともに搬送する場合に、架台をベッドの桟等に掛け吊すことができ、持ち運びが容易になる等の利便性が向上する点で有利である。
【００８８】
▲３▼上記着脱レバー３７は、装着状態、中間状態、脱着状態の３状態を切り換えることができるものとなされているが、中間状態を省略して装着状態と脱着状態との２状態に切り換えることができるものであってもよい。すなわち、受電用端子と給電用端子とを接離させつつ、シリンジポンプを保持部に保持または解放させるように構成してもよい。但し、上記したように、中間状態を経由して切り換える着脱レバー３７を設けることにより、シリンジポンプの安定した着脱が可能となる。
【００８９】
▲４▼シリンジポンプ１の保持機構は、上記のような係止爪部４６ａと係止孔２１との係止手段により係止するものだけでなく、その他の公知の保持機構であってもよい。すなわち上記実施形態において係止爪部４６ａに換えて弾性部材等からなる圧接部を設け、シリンジポンプ１を左右から挟着するものであってもよい。
【００９０】
▲５▼架台２に設けられる保持部４１の配列は縦一列に限らず、縦二列、あるいは縦三列であってもよく、また縦向きの配列に限らず横向きの配列であってもよい。但し、多くのシリンジポンプ１を平面的に少ないスペースに支持する上では、装着部を縦一列に設けるのが好ましい。
【００９１】
▲６▼受電用端子２７および給電用端子３６は上記のようなコネクタ同士で連結させるものに限らず、互いに圧接し合う板ばね状の端子等であってもよい。
【００９２】
▲７▼シリンジポンプ１に充電式の内部バッテリーを搭載するようにしてもよい。このようにすれば、架台２やＡＣアダプタを用いることなくシリンジポンプ１を使用することができるので室外での使用時に便利となる。なお、この場合には、シリンジポンプ１を架台２に装着して使用している間、あるいはシリンジポンプ１にＡＣアダプタを接続して使用している間に上記バッテリーが自動的に充電されるように構成するのが好ましい。このようにすればバッテリー充電の手間が省け利便性が向上する。
【００９３】
【発明の効果】
以上説明したように、本発明の輸液システムは、ポンプ支持用架台に設けられた複数の装着部に対して必要な数のシリンジポンプを装着して使用でき、かつ装着した各シリンジポンプに対してポンプ支持用架台側の共通の電源回路から駆動用電力を供給するように構成しているので、複数のシリンジポンプを同時に使用しながらも電源コードとしてはポンプ支持用架台の電源コードだけ済む。つまり、電源コードを集約することができる。従って、複数のシリンジポンプを同時に使用する場合でも、従来のように電源コードが邪魔になるようなことがなくなる。
【００９４】
しかも、本発明の輸液システムでは、上記着脱レバーを切り換えるという簡単な操作でシリンジポンプとポンプ支持用架台とを機械的及び電気的に接離することができる。すなわち、シリンジポンプの着脱を迅速かつ的確に行うことができる。
【００９５】
従って、本発明の輸液システムによれば、円滑かつ迅速な医療業務の遂行を実現することができる。
【図面の簡単な説明】
【図１】本実施形態に係る輸液システムを示す正面図である。
【図２】この輸液システムに適用されるシリンジポンプを示す斜視図（操作パネル側）である。
【図３】図（ａ）は同シリンジポンプの一側面を示す斜視図である。図（ｂ）は同シリンジポンプの他側面を示す斜視図である。
【図４】輸液システムに適用されるポンプ支持用架台を前面側から示す斜視図である。
【図５】同ポンプ支持用架台を後面側から示す斜視図である。
【図６】同ポンプ支持用架台をカバーケースを取り外した状態で示す正面図である。
【図７】図６のＩＩＶ−ＩＩＶ線断面図である。
【図８】図６のＩＩＩＶ−ＩＩＩＶ線断面図である。
【図９】図６のＩＸ−ＩＸ線断面図である。
【図１０】この輸液システムにおけるシリンジポンプの着脱状態を示す説明図である。
【図１１】本実施形態に係る輸液システムに適用される架台用スタンドを示す斜視図である。
【図１２】輸液システムの電気的な構成を示すブロック図である。
【符号の説明】
１            シリンジポンプ
２            ポンプ支持用架台
２１        係止孔
２７        受電用端子
３１        掛止部
３６        給電用端子
３７        着脱レバー
３９        主スライダ（スライダ）
４１        保持部
４５        突出部
４６ａ    係止爪部
６２        電源回路
６６        連結コード
Ｓ            シリンジ
【図１】
2004305280.tif 000003
【図２】
2004305280.tif 000004
【図３】
2004305280.tif 000005
【図４】
2004305280.tif 000006
【図５】
2004305280.tif 000007
【図６】
2004305280.tif 000008
【図７】
2004305280.tif 000009
【図８】
2004305280.tif 000010
【図９】
2004305280.tif 000011
【図１０】
2004305280.tif 000012
【図１１】
2004305280.tif 000013
【図１２】
2004305280.tif 000014